(57)【要約】  通信システムにおけるネットワーク再進入手続の完了を通知するためのシステム及びその方法を提供する。このシステムにおいて、移動端末機（ＭＳ）は、基地局（ＢＳ）とのネットワーク再進入手続を完了した後に、このネットワーク再進入手続の完了をＢＳへ通知する。
2009500940.tif 000002
【特許請求の範囲】
【請求項１】
通信システムにおける移動端末機（ＭＳ）がネットワーク再進入手続の完了を通知するための方法であって、
基地局（ＢＳ）とのネットワーク再進入手続を完了するステップと、
前記ネットワーク再進入手続の完了を前記ＢＳへ通知するステップと、
を含むことを特徴とする通信システムにおけるネットワーク再進入手続の完了を通知するための方法。
【請求項２】
前記ＢＳとのネットワーク再進入手続を完了するステップは、
前記ＢＳと前記ネットワーク再進入手続を遂行するために必要とされる各過程を省略するか否かを示す情報を前記ＢＳから受信するステップと、
当該受信された情報に従って、前記ＢＳと前記ネットワーク再進入手続を遂行するステップと、
を含むことを特徴とする請求項１に記載の通信システムにおけるネットワーク再進入手続の完了を通知するための方法。
【請求項３】
前記ネットワーク再進入手続の完了を前記ＢＳへ通知するステップは、
前記情報が前記ネットワーク再進入手続を遂行するために必要とされる全ての過程を省略することができることを示す場合には、
前記情報を正常に受信したことを示す応答を前記ＢＳへ送信することを特徴とする請求項２に記載の通信システムにおけるネットワーク再進入手続の完了を通知するための方法。
【請求項４】
前記ネットワーク再進入手続の完了を前記ＢＳへ通知するステップは、
前記情報が前記ネットワーク再進入手続を遂行するために必要とされる過程のうちの少なくとも１つを省略することができることを示す場合には、
前記ネットワーク再進入手続を遂行するために必要とされるプロセスのうちの省略可能なプロセスを除いた残りのプロセスを完了した後に、前記ネットワーク再進入手続の完了を前記ＢＳへ通知することを特徴とする請求項２に記載の通信システムにおけるネットワーク再進入手続の完了を通知するための方法。
【請求項５】
前記ＢＳとのネットワーク再進入手続を完了するステップは、
前記ＢＳから非要求登録応答（ＲＥＧ-ＲＳＰ）メッセージを受信する場合には、前記ＢＳとのネットワーク再進入手続を完了することを特徴とする請求項１に記載の通信システムにおけるネットワーク再進入手続の完了を通知するための方法。
【請求項６】
前記ネットワーク再進入手続の完了を前記ＢＳへ通知するステップは、
前記非要求ＲＥＧ-ＲＳＰメッセージを正常に受信したことを示すＲＥＧ-ＲＳＰ正常受信（ＡＣＫ）メッセージを前記ＢＳへ送信することを特徴とする請求項５に記載の通信システムにおけるネットワーク再進入手続の完了を通知するための方法。
【請求項７】
前記ＲＥＧ-ＲＳＰ ＡＣＫメッセージは、帯域幅要求メッセージヘッダーであり、前記帯域幅要求メッセージヘッダーは、前記帯域幅要求メッセージヘッダーが前記ＲＥＧ-ＲＳＰ ＡＣＫメッセージであることを示す帯域幅要求フィールドを含むことを特徴とする請求項６に記載の通信システムにおけるネットワーク再進入手続の完了を通知するための方法。
【請求項８】
前記ＢＳとのネットワーク再進入手続を完了するステップは、
前記ＢＳとネットワーク再進入手続を遂行するためのＲＥＧ-ＲＳＰメッセージに関する情報を含むレンジング応答（ＲＮＧ-ＲＳＰ）メッセージを前記ＢＳから受信するステップと、
前記情報に従って前記ＢＳからＲＮＧ-ＲＳＰメッセージを受信する場合には、前記ＢＳとのネットワーク再進入手続を完了するステップと、を含むことを特徴とする請求項１に記載の通信システムにおけるネットワーク再進入手続の完了を通知するための方法。
【請求項９】
前記ネットワーク再進入手続の完了を前記ＢＳへ通知するステップは、
前記ＲＮＧ-ＲＳＰメッセージを正常に受信したことを示すＲＮＧ-ＲＳＰ ＡＣＫメッセージを前記ＢＳへ送信することを特徴とする請求項８に記載の通信システムにおけるネットワーク再進入手続の完了を通知するための方法。
【請求項１０】
前記ＲＮＧ-ＲＳＰ ＡＣＫメッセージは、帯域幅要求メッセージヘッダーであり、前記帯域幅要求メッセージヘッダーは、前記帯域幅要求メッセージヘッダーが前記ＲＮＧ-ＲＳＰ ＡＣＫメッセージであることを示す帯域幅要求フィールドを含むことを特徴とする請求項９に記載の通信システムにおけるネットワーク再進入手続の完了を通知するための方法。
【請求項１１】
通信システムにおけるネットワーク再進入手続の完了を通知するためのシステムであって、
基地局（ＢＳ）とのネットワーク再進入手続を完了した後に、前記ネットワーク再進入手続の完了を前記ＢＳへ通知する移動端末機（ＭＳ）を含むことを特徴とする通信システムにおけるネットワーク再進入手続の完了を通知するためのシステム。
【請求項１２】
前記ＭＳは、
前記ＢＳと前記ネットワーク再進入手続を遂行するために必要とされる各プロセスを省略するか否かを示す情報を前記ＢＳから受信し、
該受信された情報に従って前記ＢＳと前記ネットワーク再進入手続を遂行することを特徴とする請求項１１に記載の通信システムにおけるネットワーク再進入手続の完了を通知するためのシステム。
【請求項１３】
前記ＭＳは、前記情報が前記ネットワーク再進入手続を遂行するために必要とされる全てのプロセスを省略することができることを示す場合には、前記情報を正常に受信したことを示す応答を前記ＢＳへ送信することにより、前記ネットワーク再進入手続の完了を通知することを特徴とする請求項１２に記載の通信システムにおけるネットワーク再進入手続の完了を通知するためのシステム。
【請求項１４】
前記ＭＳは、前記情報が前記ネットワーク再進入手続を遂行するために必要とされるプロセスのうちの少なくとも１つを省略することができることを示す場合には、前記ネットワーク再進入手続を遂行するために必要とされるプロセスのうちの省略可能なプロセスを除いた残りのプロセスを完了した後に、前記ネットワーク再進入手続の完了を前記ＢＳへ通知することを特徴とする請求項１２に記載の通信システムにおけるネットワーク再進入手続の完了を通知するためのシステム。
【請求項１５】
前記ＭＳは、前記ＢＳから非要求登録応答（ＲＥＧ-ＲＳＰ）メッセージを受信する場合には、前記ＢＳとのネットワーク再進入手続を完了することを特徴とする請求項１１に記載の通信システムにおけるネットワーク再進入手続の完了を通知するためのシステム。
【請求項１６】
前記ＭＳは、前記非要求ＲＥＧ-ＲＳＰメッセージを正常に受信したことを示すＲＥＧ-ＲＳＰ正常受信（ＡＣＫ）メッセージを前記ＢＳへ送信することにより、前記ネットワーク再進入手続の完了を前記ＢＳへ通知することを特徴とする請求項１５に記載の通信システムにおけるネットワーク再進入手続の完了を通知するためのシステム。
【請求項１７】
前記ＲＥＧ-ＲＳＰ ＡＣＫメッセージは、帯域幅要求メッセージヘッダーであり、前記帯域幅要求メッセージヘッダーは、前記帯域幅要求メッセージヘッダーが前記ＲＥＧ-ＲＳＰ ＡＣＫメッセージであることを示す帯域幅要求フィールドを含むことを特徴とする請求項１６に記載の通信システムにおけるネットワーク再進入手続の完了を通知するためのシステム。
【請求項１８】
前記ＭＳは、
前記ＢＳと前記ネットワーク再進入手続を遂行するためのＲＥＧ-ＲＳＰメッセージに関する情報を含むレンジング応答（ＲＮＧ-ＲＳＰ）メッセージを前記ＢＳから受信し、
前記情報に従って、前記ＢＳからＲＮＧ-ＲＳＰメッセージを受信する場合には、前記ＢＳとのネットワーク再進入手続を完了することを特徴とする請求項１１に記載の通信システムにおけるネットワーク再進入手続の完了を通知するためのシステム。
【請求項１９】
前記ＭＳは、前記ＲＮＧ-ＲＳＰメッセージを正常に受信したことを示すＲＮＧ-ＲＳＰ ＡＣＫメッセージを前記ＢＳへ送信することにより、前記ネットワーク再進入手続の完了を前記ＢＳに通知することを特徴とする請求項１８に記載の通信システムにおけるネットワーク再進入手続の完了を通知するためのシステム。
【請求項２０】
前記ＲＮＧ-ＲＳＰ ＡＣＫメッセージは、帯域幅要求メッセージヘッダーであり、前記帯域幅要求メッセージヘッダーは、前記帯域幅要求メッセージヘッダーが前記ＲＮＧ-ＲＳＰ ＡＣＫメッセージであることを示す帯域幅要求フィールドを含むことを特徴とする請求項１９に記載の通信システムにおけるネットワーク再進入手続の完了を通知するためのシステム。
【発明の詳細な説明】
【技術分野】
【０００１】
本発明は、通信システムに関し、特に、通信システムにおけるネットワーク再進入手続の完了を通知するためのシステム及びその方法に関する。
【背景技術】
【０００２】
次世代通信システムでは、高速かつ大容量のデータを移動端末機（ＭＳ）へ／から送受信することができるサービスを提供するための研究が活発に進んでいる。次世代通信システムの代表的な例がIEEE（Institute of Electrical and Electronics Engineers）802.16e通信システムである。
【０００３】
図１を参照して、一般的なIEEE 802.16e通信システムにおけるサービング基地局（ＢＳ）からターゲットＢＳへの接続切替え、例えば、ハンドオーバーを遂行した後に、ＭＳがターゲットＢＳとのネットワーク再進入手続を行う過程について説明する。
【０００４】
図１は、一般的なIEEE802.16e通信システムにおけるネットワーク再進入手続を遂行する過程を示す信号フローチャートである。
【０００５】
図１を参照すると、まず、ＭＳ１００は、サービングＢＳからターゲットＢＳ１５０へのハンドオーバーを遂行すると、ステップ１１１で、ターゲットＢＳ１５０とダウンリンク同期を取得し、ダウンリンク及びアップリンクで使用されるパラメータを受信する。この後、ＭＳ１００は、ターゲットＢＳ１５０とレンジング動作を遂行することによりアップリンク同期を取得し、送信電力を調整する動作を遂行しなければならない。従って、ＭＳ１００は、ステップ１１３で、レンジング要求（ＲＮＧ-ＲＥＱ）メッセージをターゲットＢＳ１５０へ送信し、ターゲットＢＳ１５０は、ステップ１１５で、ＲＮＧ-ＲＥＱメッセージに応じたレンジング応答（ＲＮＧ-ＲＳＰ）メッセージをＭＳ１００へ送信する。
【０００６】
上述したように、上記レンジング動作を遂行した後に、ＭＳ１００は、ステップ１１７で、ターゲットＢＳ１５０及びＭＳ１００の基本能力を要求するために、加入者端末機基本能力要求（ＳＢＣ-ＲＥＱ）メッセージをターゲットＢＳ１５０へ送信する。ここで、ＳＢＣ-ＲＥＱメッセージは、ＭＳ１００が基本能力を要求するためにターゲットＢＳ１５０へ送信するメディアアクセス制御（ＭＡＣ）メッセージであり、ＳＢＣ-ＲＥＱメッセージには、ＭＳ１００が支援可能な変調及び符号化方式（ＭＣＳ）レベルに関する情報が含まれる。ＭＳ１００からＳＢＣ-ＲＥＱメッセージを受信した場合には、ターゲットＢＳ１５０は、当該受信されたＳＢＣ-ＲＥＱメッセージに含まれているＭＳ１００が支援可能なＭＣＳレベルを確認した後に、ステップ１１９で、ＳＢＣ-ＲＥＱメッセージに応じた加入者端末機基本能力応答（ＳＢＣ-ＲＳＰ）メッセージをＭＳ１００へ送信する。
【０００７】
ＳＢＣ-ＲＳＰメッセージを受信した場合には、ＭＳ１００は、ステップ１２１で、ＭＳ認証及びキー交換のために、プライバシーキー管理要求（ＰＫＭ-ＲＥＱ）メッセージをターゲットＢＳ１５０へ送信する。ここで、ＰＫＭ-ＲＥＱメッセージは、ＭＳ認証のためのＭＡＣメッセージであり、ＭＳ１００の固有の情報（certificate）を含む。ＰＫＭ-ＲＥＱメッセージを受信した場合には、ターゲットＢＳ１５０は、当該受信されたＰＫＭ-ＲＥＱメッセージに含まれているＭＳ１００の固有の情報を用いて認証サーバ（ＡＳ）（図示せず）と認証を遂行する。該認証の結果、ＭＳ１００が認証されたＭＳである場合には、ターゲットＢＳ１５０は、ステップ１２３で、ＰＫＭ-ＲＥＱメッセージに応じたプライバシーキー管理応答（ＰＫＭ-ＲＳＰ）メッセージをＭＳ１００へ送信する。ここで、ＰＫＭ-ＲＳＰメッセージは、ＭＳ１００に割り当てられた認証キー（ＡＫ）及びトラフィック暗号化キー（ＴＥＫ）を含む。
【０００８】
ＰＫＭ-ＲＳＰメッセージを受信した場合には、ＭＳ１００は、ステップ１２５で、登録要求（ＲＥＧ-ＲＥＱ）メッセージをターゲットＢＳ１５０へ送信する。ここで、ＲＥＧ-ＲＥＱメッセージは、ＭＳ１００のＭＳ登録情報を含む。ＲＥＧ-ＲＥＱメッセージを受信した場合には、ターゲットＢＳ１５０は、ステップ１２７で、当該受信されたＲＥＧ-ＲＥＱメッセージに含まれているＭＳ登録情報を検出し、ＭＳ登録情報を用いてＭＳ１００をターゲットＢＳ１５０に登録し、ＲＥＧ-ＲＥＱメッセージに応じた登録応答（ＲＥＧ-ＲＳＰ）メッセージをＭＳ１００へ送信する。ここで、ＲＥＧ-ＲＳＰメッセージは、上記登録されたＭＳ登録情報を含む。このように、ＭＳ１００は、ステップ１２９で、ＲＥＧ-ＲＳＰメッセージを受信するので、ＭＳ１００のターゲットＢＳ１５０へのネットワーク再進入手続を完了する。結果的に、ＭＳ１００がＲＥＧ-ＲＳＰメッセージを受信するので、ＭＳ１００とターゲットＢＳ１５０との間では正常の動作が遂行され、上記ネットワーク再進入手続も完了する。
【０００９】
図１を参照して、一般的なIEEE 802.16e通信システムにおけるネットワーク再進入手続を遂行する過程について説明した。次いで、図２を参照して、一般的なIEEE 802.16e通信システムにおけるハンドオーバープロセス最適化タイプ／長さ／値（ＴＬＶ）に基づくネットワーク再進入手続を遂行する過程について説明する。
【００１０】
図２は、一般的なIEEE 802.16e通信システムにおけるハンドオーバープロセス最適化ＴＬＶに基づくネットワーク再進入手続を遂行する過程を示す信号フローチャートである。
【００１１】
図２を参照すると、まず、ＭＳ２００は、サービングＢＳからターゲットＢＳ２５０へのハンドオーバーを遂行すると、ステップ２１１で、ターゲットＢＳ２５０とダウンリンク同期を取得し、ダウンリンク及びアップリンクで使用されるパラメータを受信する。この後、ＭＳ２００は、ステップ２１３で、ＲＮＧ-ＲＥＱメッセージをターゲットＢＳ２５０へ送信し、ターゲットＢＳ２５０は、ステップ２１５で、ＲＮＧ-ＲＥＱメッセージに応じたＲＮＧ-ＲＳＰメッセージをＭＳ２００へ送信する。ここで、ＲＮＧ-ＲＳＰメッセージは、ＨＯプロセス最適化ＴＬＶを含み、当該ＨＯプロセス最適化ＴＬＶは、ＴＬＶエンコーディング方式を用いて含まれた情報エレメント（ＩＥ）であり、接続が切り替えられたＭＳ、例えば、ハンドオーバー遂行が完了したＭＳのターゲットＢＳとの高速ネットワーク再進入手続を支援するために使用されるＩＥである。すなわち、上記ＨＯプロセス最適化ＴＬＶは、ＭＳ２００の高速ネットワーク再進入手続のために、一般的なネットワーク再進入手続でかならず遂行されなければならないメッセージの送受信過程のうちの一部または全部を省略することができるように記載されたＩＥである。
【００１２】
一方、ＭＳ２００が一般的なハンドオーバーまたはアイドルモードハンドオーバーを遂行する場合には、ターゲットＢＳ２５０は、ＭＳ２００が上記一般的なハンドオーバーまたはアイドルモードハンドオーバーを遂行する前に、サービングＢＳまたは呼出し制御器のように、ＭＳ２００に関する情報を有しているシステムからバックボーンネットワークを介してＭＳ２００に関する情報を取得することができる。ここで、ＭＳ２００に関する情報は、ＭＳ２００がサービングＢＳからターゲットＢＳ２５０へハンドオーバーした後のネットワーク再進入手続を遂行する過程で取得された情報と同一であることができる。この場合には、ターゲットＢＳ２５０は、ＭＳ２００に関する情報をバックボーンネットワークを介して取得することにより、ＭＳ２００のハンドオーバーによるネットワーク再進入手続中の特定のメッセージの送受信過程を省略することができ、当該特定のメッセージの送受信過程に必要とされるエアーリンクリソースを節約することができるだけでなく、ＭＳ２００との正常の通信再開時点を繰り上げることができる。従って、ターゲットＢＳ２５０は、上記ネットワーク再進入手続を遂行する過程で省略可能なメッセージの送受信過程を示す通知をＭＳ２００へ送信するために、ＨＯプロセス最適化ＴＬＶを含み、該ＨＯプロセス最適化ＴＬＶのフォーマットを下記の＜表１＞に示す。
【００１３】
【表１】
2009500940.tif 000003
【００１４】
上記の＜表１＞において、上記ＨＯプロセス最適化ＴＬＶは、現在のネットワーク再進入手続でメッセージの送受信を省略することができるか否かを示す一種のビットマップ情報である。すなわち、上記ＨＯプロセス最適化ＴＬＶ ＩＥは、例えば、７ビットのビットマップの形態で表現される。上記ＨＯプロセス最適化ＴＬＶビットマップの各ビットについて説明すると、次の通りである。
【００１５】
（１） 第１のビットであるＢｉｔ＃０は、ＳＢＣ-ＲＥＱメッセージの送信を省略することができるか否かを示す。Ｂｉｔ＃０＝０は、ＭＳ２００がＳＢＣ-ＲＥＱメッセージをかならず送信しなければならないことを示し、Ｂｉｔ＃０＝１は、ＭＳ２００がＳＢＣ-ＲＥＱメッセージの送信を省略することができることを示す。
【００１６】
（２） 第２のビットであるＢｉｔ＃１は、ＰＫＭ認証過程を省略することができるか否かを示す。Ｂｉｔ＃１＝０は、ＭＳ２００がＴＥＫ過程を含むＰＫＭ認証過程を遂行しなければならないことを示し、Ｂｉｔ＃１＝１は、ＭＳ２００がＴＥＫ過程を除いたＰＫＭ認証過程を省略することができることを示す。
【００１７】
（３） 第３のビットであるＢｉｔ＃２は、ＴＥＫ過程を省略することができるか否かを示す。Ｂｉｔ＃２＝０は、ＭＳ２００がＴＥＫ過程をかならず遂行しなければならないことを示し、Ｂｉｔ＃２＝１は、ＭＳ２００がＴＥＫ過程を省略することができることを示す。
【００１８】
（４） 第４のビットであるＢｉｔ＃３は、ＳＢＣ-ＲＳＰメッセージの送信を省略することができるか否かを示す。Ｂｉｔ＃３＝０は、ターゲットＢＳ２５０が非要求（unsolicited）ＳＢＣ-ＲＳＰメッセージをかならず送信しなければならないことを示し、Ｂｉｔ＃３＝１は、ターゲットＢＳ２５０が、ＳＢＣ-ＲＳＰメッセージに含まれた情報をＴＬＶエンコーディング方式を用いてＲＮＧ-ＲＳＰメッセージとともに送信することにより、ＳＢＣ-ＲＳＰメッセージの送信を省略することができることを示す。
【００１９】
（５） 第５のビットであるＢｉｔ＃４は、ＲＥＧ-ＲＥＱメッセージの送信を省略することができるか否かを示す。Ｂｉｔ＃４＝０は、ＭＳ２００がＲＥＧ-ＲＥＱメッセージをかならず送信しなければならないことを示し、Ｂｉｔ＃４＝１は、ＭＳ２００がＲＥＧ-ＲＥＱメッセージの送信を省略することができることを示す。
【００２０】
（６） 第６のビットであるＢｉｔ＃５は、ＲＥＧ-ＲＳＰメッセージの送信を省略することができるか否かを示す。Ｂｉｔ＃５＝０は、ターゲットＢＳ２５０が非要求ＲＥＧ-ＲＳＰメッセージをかならず送信しなければならないことを示し、Ｂｉｔ＃５＝１は、ターゲットＢＳ２５０が、ＲＥＧ-ＲＳＰメッセージに含まれた情報をＴＬＶエンコーディング方式を用いてＲＮＧ-ＲＳＰメッセージとともに送信することにより、ＲＥＧ-ＲＳＰメッセージの送信を省略することができることを示す。
【００２１】
（７） 第７のビットであるＢｉｔ＃６は、ターゲットＢＳ２５０が仮想サービスデータユニット（ＳＤＵ）シーケンス番号（ＳＮ）を支援するか否かを示す。Ｂｉｔ＃６が‘１’に設定され、ＭＳ２００も仮想ＳＤＵ ＳＮを支援する場合には、ＭＳ２００は、ターゲットＢＳ２５０とのネットワーク再進入手続を完了した後に、ＳＮ報告ヘッダーをターゲットＢＳ２５０へ送信しなければならない。
【００２２】
一方、ＲＮＧ-ＲＳＰメッセージに含まれたＨＯプロセス最適化ＴＬＶのＢｉｔ＃３及びＢｉｔ＃５の両方が‘１’に設定される場合には、ＲＮＧ-ＲＳＰメッセージに含まれたＴＬＶは、下記の＜表２＞に示される。
【００２３】
【表２】
2009500940.tif 000004
【００２４】
上記の＜表２＞において、ＨＯプロセス最適化ＴＬＶのＢｉｔ＃３が‘１’に設定される場合には、ＲＮＧ-ＲＳＰメッセージに含まれたＳＢＣ-ＲＳＰエンコーディング情報を示す。ＨＯプロセス最適化ＴＬＶのＢｉｔ＃５が‘１’に設定される場合には、ＲＮＧ-ＲＳＰメッセージに含まれたＲＥＧ-ＲＳＰエンコーディング情報を示す。
【００２５】
この後、ＭＳ２００及びターゲットＢＳ２５０は、ＨＯプロセス最適化ＴＬＶに従ってネットワーク再進入手続を遂行する。例えば、ＨＯプロセス最適化ＴＬＶビットマップが‘１１１０１００'である場合には、ＭＳ２００は、ステップ２１７で、ＳＢＣ-ＲＥＱメッセージの送信を省略し、ターゲットＢＳ２５０は、ステップ２１９で、非要求ＳＢＣ-ＲＳＰメッセージをＭＳ２００へ送信し、ＭＳ２００は、ステップ２２１で、ＰＫＭ-ＲＥＱメッセージの送信を省略し、ターゲットＢＳ２５０は、ステップ２２３で、ＰＫＭ-ＲＳＰメッセージの送信を省略し、ＭＳ２００は、ステップ２２５で、ＲＥＧ-ＲＥＱメッセージの送信を省略し、最後に、ターゲットＢＳ２５０は、ステップ２２７で、非要求ＲＥＧ-ＲＳＰメッセージをＭＳ２００へ送信する。
【００２６】
他の例では、上記ＨＯプロセス最適化ＴＬＶビットマップが‘１１１１１１０’に設定される場合には、ターゲットＢＳ２５０は、ＲＮＧ-ＲＳＰメッセージのＴＬＶとともに、ＳＢＣ-ＲＳＰメッセージ及びＲＥＧ-ＲＳＰメッセージの両方に含まれた情報を送信しなければならない。この場合には、ＭＳ２００及びターゲットＢＳ２５０は、ステップ２１７乃至ステップ２２７に図示されているメッセージの送受信過程を全て省略しても、ステップ２２９で、ネットワーク再進入手続を正常に完了することができる。
【００２７】
上述したように、上記ネットワーク再進入手続を遂行する過程で、ＭＳ及びターゲットＢＳは、ＨＯプロセス最適化ＴＬＶに従って、上記ネットワーク再進入手続中の一部のメッセージ送受信過程を省略するか、または、全メッセージ送受信過程を省略することができる。
【００２８】
ＭＳが、ターゲットＢＳからＲＮＧ-ＲＳＰメッセージを正常に受信することができないとしても、ターゲットＢＳは、ＭＳがＲＮＧ-ＲＳＰメッセージを正常に受信することができなかったことを認識することが不可能である。この場合には、ターゲットＢＳが上記ＨＯプロセス最適化ＴＬＶに従ってネットワーク再進入手続を遂行しても、ＭＳは、一般的なネットワーク再進入手続を遂行する場合が発生する可能性があり、これにより、ＭＳとターゲットＢＳとの間のメッセージ送受信過程の同期が一致しない。
【００２９】
さらに、ＭＳの要求なしに、ターゲットＢＳが非要求ＳＢＣ-ＲＳＰメッセージまたは非要求ＲＥＧ-ＲＳＰメッセージを送信する場合、すなわち、一般的なメッセージ送受信過程を遂行することなく、一方的にターゲットＢＳがメッセージをＭＳへ送信する場合には、ターゲットＢＳは、ＭＳが非要求ＳＢＣ-ＲＳＰメッセージまたは非要求ＲＥＧ-ＲＳＰメッセージを正常に受信したか否かを認識することが不可能である。
【００３０】
従って、ＭＳ及びターゲットＢＳがＨＯプロセス最適化ＴＬＶに従ってネットワーク再進入手続を遂行している間には、ＭＳの要求なしに送信された非要求メッセージまたはＨＯプロセス最適化ＴＬＶに含まれたメッセージをＭＳが正常に受信したか否かをターゲットＢＳが認識することができる方法に対する必要性が高まっている。
【発明の開示】
【発明が解決しようとする課題】
【００３１】
上記背景に鑑みて、本発明の目的は、通信システムにおけるネットワーク再進入手続の完了を通知するためのシステム及びその方法を提供することにある。
【００３２】
本発明の他の目的は、通信システムにおけるネットワーク再進入手続時における特定のメッセージの正常の受信を通知するためのシステム及びその方法を提供することにある。
【００３３】
本発明のさらなる目的は、通信システムにおけるネットワーク再進入手続時におけるターゲットＢＳにより送信された非要求メッセージの正常の受信を通知するためのシステム及び方法を提供することにある。
【課題を解決するための手段】
【００３４】
上記のような目的を達成するために、本発明の一の見地によれば、通信システムにおける移動端末機（ＭＳ）がネットワーク再進入手続の完了を通知するための方法は、基地局（ＢＳ）とのネットワーク再進入手続を完了するステップと、上記ネットワーク再進入手続の完了を上記ＢＳへ通知するステップと、を含むことを特徴とする。
【００３５】
本発明の他の見地によれば、通信システムにおけるネットワーク再進入手続の完了を通知するためのシステムは、基地局（ＢＳ）とのネットワーク再進入手続を完了した後に、上記ネットワーク再進入手続の完了を上記ＢＳへ通知する移動端末機（ＭＳ）を含むことを特徴とする。
【発明の効果】
【００３６】
本発明は、通信システムにおいて、ターゲットＢＳへの接続切替えを行った後に、ＭＳがターゲットＢＳとネットワーク再進入手続を遂行する際に、ＭＳは、ネットワーク再進入手続の完了を示す通知をターゲットＢＳへ送信することができ、これにより、ＭＳとターゲットＢＳとの間で発生する遅延を防止して、全システムの性能を向上させることができる。
【発明を実施するための最良の形態】
【００３７】
以下、本発明の好適な一実施形態を、添付図面を参照しつつ詳細に説明する。本発明の実施形態の下記の説明において、本発明の要旨のみを明瞭にする目的で、関連した公知の機能又は構成に関する具体的な説明は省略する。
【００３８】
本発明は、通信システム、例えば、IEEE（Institute of Electrical and Electronics Engineers）802.16e通信システムにおけるネットワーク再進入手続の完了を通知するためのシステム及び方法を提案する。また、本発明は、IEEE 802.16e通信システムにおけるハンドオーバープロセス最適化タイプ／長さ／値（ＴＬＶ）に従ってネットワーク再進入手続を遂行する過程で、移動端末機（ＭＳ）がターゲット基地局（ＢＳ）により送信された非要求メッセージを正常に受信したか否かを通知するためのシステム及び方法を提案する。説明の便宜上、本発明についてはIEEE 802.16e通信システムを参照して説明するが、本発明で提供された方式は、IEEE 802.16e通信システムだけでなく、他の通信システムにも適用されることができる。
【００３９】
図３は、本発明によるIEEE 802.16e通信システムにおけるＨＯプロセス最適化ＴＬＶに基づくネットワーク再進入手続を遂行する過程を示す信号フローチャートである。
【００４０】
図３を参照すると、まず、ＭＳ３００は、サービングＢＳからターゲットＢＳ３５０へのハンドオーバーを遂行した後に、ステップ３１１で、ターゲットＢＳ３５０とダウンリンク（ＤＬ）同期を取得し、ダウンリンク及びアップリンク（ＵＬ）で使用されるパラメータを受信する。ＭＳ３００は、ステップ３１３で、レンジング要求（ＲＮＧ-ＲＥＱ）メッセージをターゲットＢＳ３５０へ送信し、ターゲットＢＳ３５０は、ステップ３１５で、ＲＮＧ-ＲＥＱメッセージに応じたレンジング応答（ＲＮＧ-ＲＳＰ）メッセージをＭＳ３００へ送信する。ここで、ＲＮＧ-ＲＳＰメッセージは、ＨＯプロセス最適化ＴＬＶを含み、該ＨＯプロセス最適化ＴＬＶは、ＴＬＶエンコーディング方式を用いて含まれた情報要素（ＩＥ）であり、ハンドオーバー遂行が完了したＭＳ３００のターゲットＢＳ３５０との高速ネットワーク再進入手続を支援するためのＩＥである。すなわち、上記ＨＯプロセス最適化ＴＬＶは、ＭＳ３００の高速ネットワーク再進入手続のために、一般的なネットワーク再進入手続でかならず遂行されなければならないメッセージ送受信過程のうちの一部または全部を省略可能とするように記載されたＩＥである。ここで、上記ＨＯプロセス最適化ＴＬＶの詳細については、上記の＜表１＞で説明されたので、具体的な説明を省略する。
【００４１】
上記ＨＯプロセス最適化ＴＬＶを含んでいるＲＮＧ-ＲＳＰメッセージをターゲットＢＳ３５０から受信した場合には、ＭＳ３００は、ステップ３１７で、ＲＮＧ-ＲＳＰメッセージを正常に受信したことを示すＲＮＧ-ＲＳＰ正常受信（ＡＣＫ）メッセージをターゲットＢＳ３５０へ送信する。ターゲットＢＳ３５０は、ＭＳ３００からＲＮＧ-ＲＳＰ ＡＣＫメッセージを受信するときに、ＭＳ３００がＲＮＧ-ＲＳＰメッセージを正常に受信したことを認識する。
【００４２】
ターゲットＢＳ３５０は、ＭＳ３００の基本能力を交渉するための加入者端末機基本能力交渉要求（ＳＢＣ-ＲＥＱ）メッセージをＭＳ３００から受信しない場合にも、ステップ３１９で、非要求加入者端末機基本能力応答（ＳＢＣ-ＲＳＰ）メッセージをＭＳ３００へ送信する。
【００４３】
ターゲットＢＳ３５０から非要求ＳＢＣ-ＲＳＰメッセージを受信した場合には、ＭＳ３００は、ステップ３２１で、非要求ＳＢＣ-ＲＳＰメッセージを正常に受信したことを示すＳＢＣ-ＲＳＰ ＡＣＫメッセージをターゲットＢＳ３５０へ送信する。ターゲットＢＳ３５０は、ＭＳ３００からＳＢＣ-ＲＳＰ ＡＣＫメッセージを受信するときに、ＭＳ３００がＳＢＣ-ＲＳＰメッセージを正常に受信したことを認識する。
【００４４】
また、ターゲットＢＳ３５０は、ＭＳ３００からの登録要求（ＲＥＧ-ＲＥＱ）メッセージの受信に関係なく、ステップ３２３で、非要求登録応答（ＲＥＧ-ＲＳＰ）メッセージをＭＳ３００へ送信する。ターゲットＢＳ３５０から非要求ＲＥＧ-ＲＳＰメッセージを受信した場合には、ＭＳ３００は、ステップ３２５で、非要求ＲＥＧ-ＲＳＰメッセージを正常に受信したことを示すＲＥＧ-ＲＳＰ ＡＣＫメッセージをターゲットＢＳ３５０へ送信する。
【００４５】
ターゲットＢＳ３５０は、ＭＳ３００からＲＥＧ-ＲＳＰ ＡＣＫメッセージを受信するときに、ＭＳ３００が非要求ＲＥＧ-ＲＳＰメッセージを正常に受信したことを認識し、それにより、ステップ３２７で、上記ネットワーク再進入手続を完了する。結果的に、ＭＳ３００が非要求ＲＥＧ-ＲＳＰメッセージを受信するときに、ＭＳ３００とターゲットＢＳ３５０との間では、正常の動作が遂行され、それにより、上記ネットワーク再進入手続を完了する。
【００４６】
一方、図３では、ターゲットＢＳ３５０が上記ＨＯプロセス最適化ＴＬＶに従って、非要求ＳＢＣ-ＲＳＰメッセージ及び非要求ＲＥＧ-ＲＳＰメッセージを送信する好適な場合について説明したが、上述した＜表２＞を参照して説明したような非要求ＳＢＣ-ＲＳＰメッセージ及び非要求ＲＥＧ-ＲＳＰメッセージに含まれている情報が、ＲＮＧ-ＲＳＰメッセージにすでに含まれている場合には、ステップ３１９乃至ステップ３２５の過程は遂行されない。また、図３では、ターゲットＢＳ３５０が上記ＨＯプロセス最適化ＴＬＶに従って非要求ＳＢＣ-ＲＳＰメッセージ及び非要求ＲＮＧ-ＲＳＰメッセージの両方を送信する好適な場合を示すが、かかる過程は、上記ＨＯプロセス最適化ＴＬＶに従ったプライバシーキー管理（ＰＫＭ）認証のためのメッセージ送受信過程のように、上記ネットワーク再進入手続に含まれた他のメッセージ送受信過程を含んでもよい。
【００４７】
ＲＮＧ-ＲＳＰ ＡＣＫメッセージ、ＳＢＣ-ＲＳＰ ＡＣＫメッセージ、及びＲＥＧ-ＲＳＰ ＡＣＫメッセージは、同一のフォーマットで実現されることができ、すなわち、下記の＜表３＞に示すようなネットワーク再進入確認フィールドを含むネットワーク再進入確認拡張サブヘッダーを用いて実現されることができる。
【００４８】
【表３】
2009500940.tif 000005
【００４９】
上記の＜表３＞に示すように、上記ネットワーク再進入確認拡張サブヘッダーのネットワーク再進入確認フィールドは、ＭＳが現在送信しているＡＣＫメッセージがどんなメッセージを受信するにつれて送信されるものであるかを示すビットマップ情報を含む。すなわち、上記ネットワーク再進入確認フィールドにおいて、Ｂｉｔ＃０＝１は、ＭＳがＲＮＧ-ＲＳＰメッセージに応じた現在のＡＣＫメッセージを送信することを示し、Ｂｉｔ＃１＝１は、ＭＳが非要求ＳＢＣ-ＲＳＰメッセージに応じた現在のＡＣＫメッセージを送信することを示し、Ｂｉｔ＃２＝１は、ＭＳが非要求ＲＥＧ-ＲＳＰメッセージに応じた現在のＡＣＫメッセージを送信することを示す。
【００５０】
さらに、上記ネットワーク再進入確認拡張サブヘッダーの予約（Reserved）フィールドは、上記ネットワーク再進入確認拡張サブヘッダーのビット数を８ビットに保持し、将来の使用のために予約されたフィールドである。例えば、当該フィールドは、‘０’に設定される。
【００５１】
一方、ＲＮＧ-ＲＳＰメッセージ、非要求ＳＢＣ-ＲＳＰメッセージ、及び非要求ＲＥＧ-ＲＳＰメッセージに応じたＡＣＫメッセージを送信するに際して、ＭＳは、ＲＮＧ-ＲＳＰメッセージ、非要求ＳＢＣ-ＲＳＰメッセージ、及び非要求ＲＥＧ-ＲＳＰメッセージの全てに対するＡＣＫメッセージを示すビットマップ情報を設定して、ＡＣＫメッセージを１つのネットワーク再進入確認拡張サブヘッダーを介して送信するか、または、ＲＮＧ-ＲＳＰメッセージ、非要求ＳＢＣ-ＲＳＰメッセージ、及び非要求ＲＥＧ-ＲＳＰメッセージの各々に対するＡＣＫメッセージを示すビットマップ情報を別途に設定して、ＡＣＫメッセージを３つのネットワーク再進入確認拡張サブヘッダーを介して送信する。
【００５２】
また、ＲＮＧ-ＲＳＰ ＡＣＫメッセージ、ＳＢＣ-ＲＳＰ ＡＣＫメッセージ、及びＲＥＧ-ＲＳＰ ＡＣＫメッセージは、チャネル品質情報チャネル（ＣＱＩＣＨ）割当要求メッセージヘッダーの予約（Reserved）ビットを用いて実現されることができ、下記の＜表４＞に示される。
【００５３】
【表４】
2009500940.tif 000006
【００５４】
上記の＜表４＞に示すように、上記ＣＱＩＣＨ割当要求メッセージのヘッダーは、現在送信されるヘッダーのタイプを示すタイプフィールドと、高速ＢＳスイッチング（ＦＢＳＳ）動作を遂行する際に、ＭＳがＣＱＩＣＨ割当を要求するために、上記ヘッダーを送信することを示す高速ＢＳスイッチング指示子（ＦＢＳＳＩ）フィールドと、ＣＱＩＣＨをフィードバックする情報を識別するためのタイプを示すフィードバックタイプフィールドと、ＭＳが望むＣＱＩＣＨ割当期間を示すプリファード-ピリオド（Preferred-Period）フィールドと、上記ヘッダーを送信するＭＳの基本接続識別子（ＣＩＤ）を示すＣＩＤフィールドと、上記ヘッダーのインテグリティー（integrity）を判定するために使用されたヘッダーチェックシーケンス（ＨＣＳ）を示すＨＣＳフィールドと、上記ネットワーク再進入手続の間におけるＲＮＧ-ＲＳＰ ＡＣＫメッセージ、ＳＢＣ-ＲＳＰ ＡＣＫメッセージ、及びＲＥＧ-ＲＳＰ ＡＣＫメッセージに対するＡＣＫを送信するか否かを示すネットワーク再進入確認フィールドが上記ＣＱＩＣＨ割当要求メッセージのヘッダーに含まれているか否かを示す、すなわち、上記ＣＱＩＣＨ割当要求メッセージのヘッダーがＲＮＧ-ＲＳＰ ＡＣＫメッセージ、ＳＢＣ-ＲＳＰ ＡＣＫメッセージ、及びＲＥＧ-ＲＳＰ ＡＣＫメッセージに対するＡＣＫを送信するために使用されることを示すネットワーク再進入確認指示子フィールドと、上記ネットワーク再進入確認フィールドと、を含む。上述した＜表４＞において、ＦＢＳＳＩフィールドの値が‘１’に設定される場合には、上記フィードバックタイプフィールド値及び上記プリファード-ピリオドフィールド値は、無視される。上記ネットワーク再進入確認フィールドのビットマップ情報について説明すると、次の通りである。
【００５５】
まず、上記ネットワーク再進入確認フィールドの各ビットについて説明する。Ｂｉｔ＃０＝１は、ＲＮＧ-ＲＳＰメッセージに対するＡＣＫメッセージを示し、Ｂｉｔ＃１＝１は、非要求ＳＢＣ-ＲＳＰメッセージに対するＡＣＫメッセージを示し、Ｂｉｔ＃２＝１は、非要求ＲＥＧ-ＲＳＰメッセージに対するＡＣＫメッセージを示す。
【００５６】
また、上記ＣＱＩＣＨ割当要求メッセージのヘッダー内のネットワーク再進入確認指示子フィールドが‘１’に設定される場合には、上記ＣＱＩＣＨ割当要求メッセージのヘッダー内のＦＢＳＳＩフィールド、フィードバックタイプフィールド、及びプリファード-ピリオドフィールドは、無視される。
【００５７】
一方、ＲＮＧ-ＲＳＰメッセージ、非要求ＳＢＣ-ＲＳＰメッセージ、及び非要求ＲＥＧ-ＲＳＰメッセージに応じたＡＣＫメッセージを送信するに際して、ＭＳは、ＲＮＧ-ＲＳＰメッセージ、非要求ＳＢＣ-ＲＳＰメッセージ、及び非要求ＲＥＧ-ＲＳＰメッセージの全てに対するＡＣＫメッセージを示すビットマップ情報を設定して、ＡＣＫメッセージを１つのＣＱＩＣＨ割当要求メッセージヘッダーを介して送信するか、またはＲＮＧ-ＲＳＰメッセージ、非要求ＳＢＣ-ＲＳＰメッセージ、及び非要求ＲＥＧ-ＲＳＰメッセージの各々に対するＡＣＫメッセージを示すビットマップ情報を別途に設定して、３つのＣＱＩＣＨ割当要求メッセージヘッダーを介して送信する。
【００５８】
下記の＜表５＞に示すように、ＲＮＧ-ＲＳＰ ＡＣＫメッセージ、ＳＢＣ-ＲＳＰ ＡＣＫメッセージ、及びＲＥＧ-ＲＳＰ ＡＣＫメッセージは、帯域幅要求メッセージのヘッダーを用いて実現されることができる。
【００５９】
【表５】
2009500940.tif 000007
【００６０】
上記の＜表５＞に示すように、上記帯域幅要求メッセージのヘッダーは、現在送信されるヘッダーのタイプを示すタイプフィールドと、上記帯域幅要求メッセージのヘッダーを送信するＭＳの基本ＣＩＤを示すＣＩＤフィールドと、上記帯域幅要求メッセージのヘッダーのインテグリティーを判定するために使用されたＨＣＳを示すＨＣＳフィールドと、ＢＲフィールドと、を含む。
【００６１】
ここで、‘０００’に設定されたタイプフィールドの値は、ＭＳの帯域幅割当要求がインクリメンタル（incremental）、すなわち、ＢＲフィールドに後で設定された値は、ＭＳが後で追加的に割当てを受けることを要求する帯域幅を示す。すなわち、‘０００’に設定されたタイプフィールドの値及び‘２００’に設定されたＢＲフィールドの値は、ＭＳが２００の帯域幅の追加的な割当てを要求することを示す。
【００６２】
また、上記タイプフィールドの値が‘００１’に設定された場合には、上記帯域幅割当要求がアグリゲート（aggregate）、すなわち、ＢＲフィールドに後で設定された値は、ＭＳが割当てを受けなければならない必要とされる全帯域幅を示す。すなわち、上記タイプフィールドの値が‘００１’に設定され、ＢＲフィールドの値が‘８００’に設定される場合には、ＭＳが現在割当てを受けた帯域幅とＭＳが上記帯域幅割当要求を介して割当てを受ける帯域幅とを総計することにより決定された８００の帯域幅がＭＳに割り当てられることを示す。
【００６３】
また、上記ネットワーク再進入手続において、ＲＮＧ-ＲＳＰメッセージ、非要求ＳＢＣ-ＲＳＰメッセージ、及び非要求ＲＥＧ-ＲＳＰメッセージに対するＡＣＫメッセージとして上記帯域幅要求メッセージのヘッダーを送信する場合には、ＭＳは、ＢＲフィールドの値を‘０’に設定する。ＢＲフィールド＝０を有する帯域幅要求メッセージのヘッダーを受信した場合には、ＭＳと上記ネットワーク再進入手続を遂行するターゲットＢＳは、ＲＮＧ-ＲＳＰメッセージ、非要求ＳＢＣ-ＲＳＰメッセージ、又は非要求ＲＥＧ-ＲＳＰメッセージに対するＡＣＫメッセージを認識する。
【００６４】
図４Ａ及び図４Ｂを参照して、本発明によるIEEE 802.16e通信システムにおけるＨＯプロセス最適化ＴＬＶに基づくネットワーク再進入手続時におけるＭＳの動作過程について説明する。
【００６５】
図４Ａ及び図４Ｂは、本発明によるIEEE 802.16e通信システムにおけるＨＯプロセス最適化ＴＬＶに基づくネットワーク再進入手続時におけるＭＳの動作過程を示すフローチャートである。
【００６６】
図４Ａ及び図４Ｂを参照すると、ステップ４１１で、サービングＢＳからターゲットＢＳへハンドオーバーした後に、ＭＳは、ターゲットＢＳとダウンリンク同期を取得し、ダウンリンク及びアップリンクで使用されるパラメータを受信する。ステップ４１３で、ＭＳは、ＲＮＧ-ＲＥＱメッセージをターゲットＢＳへ送信する。ステップ４１５で、ＭＳは、ＲＮＧ-ＲＥＱメッセージに応じたＨＯプロセス最適化ＴＬＶを含むＲＮＧ-ＲＳＰメッセージをターゲットＢＳから受信する。ステップ４１７で、ＭＳは、ターゲットＢＳからＲＮＧ-ＲＳＰメッセージを正常に受信したことを示すＲＮＧ-ＲＳＰ ＡＣＫメッセージを送信する。上述した＜表３＞乃至＜表５＞を参照して説明した通り、ＲＮＧ-ＲＳＰ ＡＣＫメッセージは、上記ネットワーク再進入確認拡張サブヘッダー、ＣＱＩＣＨ割当要求メッセージヘッダー、または帯域幅要求メッセージヘッダーを用いて実現されることができ、これについては、具体的に上述した。
【００６７】
ステップ４１９で、ＭＳは、ＲＮＧ-ＲＳＰメッセージを介して受信されたＨＯプロセス最適化ＴＬＶを分析して、ターゲットＢＳから非要求ＳＢＣ-ＲＳＰメッセージ及び非要求ＲＥＧ-ＲＳＰメッセージを受信する必要があるか否かを判定する。当該判定の結果、ターゲットＢＳから非要求ＳＢＣ-ＲＳＰメッセージ及び非要求ＲＥＧ-ＲＳＰメッセージを受信する必要がある場合には、ＭＳは、ステップ４２１で、ターゲットＢＳから非要求ＳＢＣ-ＲＳＰメッセージを受信する。この後、ステップ４２３で、ＭＳは、非要求ＳＢＣ-ＲＳＰメッセージを正常に受信したことを示すＳＢＣ-ＲＳＰ ＡＣＫメッセージをターゲットＢＳへ送信する。上述した＜表３＞乃至＜表５＞を参照して説明した通り、ＳＢＣ-ＲＳＰ ＡＣＫメッセージは、上記ネットワーク再進入確認拡張サブヘッダー、ＣＱＩＣＨ割当要求メッセージヘッダー、または帯域幅要求メッセージヘッダーを用いて実現されることができ、これについては、具体的に上述した。
【００６８】
ステップ４２５で、ＭＳは、ターゲットＢＳから非要求ＲＥＧ-ＲＳＰメッセージを受信する。ステップ４２７で、ＭＳは、非要求ＲＥＧ-ＲＳＰメッセージを正常に受信したことを示すＲＥＧ-ＲＳＰ ＡＣＫメッセージをターゲットＢＳへ送信する。上述した＜表３＞乃至＜表５＞を参照して説明した通り、ＲＥＧ-ＲＳＰ ＡＣＫメッセージは、上記ネットワーク再進入確認拡張サブヘッダー、ＣＱＩＣＨ割当要求メッセージヘッダー、または帯域幅要求メッセージヘッダーを用いて実現されることができ、これについては、具体的に上述した。ステップ４２９で、ＭＳは、ターゲットＢＳとのネットワーク再進入手続を完了した後に、上記動作過程を終了する。
【００６９】
他方、ステップ４１９で判定した結果、ターゲットＢＳから非要求ＳＢＣ-ＲＳＰメッセージ及び非要求ＲＥＧ-ＲＳＰメッセージの両方を受信する必要がない場合には、ＭＳは、ステップ４３１で、ターゲットＢＳから非要求ＳＢＣ-ＲＳＰメッセージだけを受信する必要があるか否かを判定する。当該判定の結果、ターゲットＢＳから非要求ＳＢＣ-ＲＳＰメッセージだけを受信する必要がある場合には、ＭＳは、ステップ４３３で、ターゲットＢＳから非要求ＳＢＣ-ＲＳＰメッセージを受信する。この後、ステップ４３５で、ＭＳは、非要求ＳＢＣ-ＲＳＰメッセージを正常に受信したことを示すＳＢＣ-ＲＳＰ ＡＣＫメッセージをターゲットＢＳへ送信した後に、ステップ４２９へ進む。
【００７０】
一方、ステップ４３１で判定した結果、ターゲットＢＳから非要求ＳＢＣ-ＲＳＰメッセージを受信する必要がない場合には、ＭＳは、ステップ４３７で、ターゲットＢＳから非要求ＲＥＧ-ＲＳＰメッセージだけを受信する必要があるか否かを判定する。当該判定の結果、ターゲットＢＳから非要求ＲＥＧ-ＲＳＰメッセージだけを受信する必要がある場合には、ＭＳは、ステップ４３９で、ターゲットＢＳから非要求ＲＥＧ-ＲＳＰメッセージを受信する。この後、ステップ４４１で、ＭＳは、非要求ＲＥＧ-ＲＳＰメッセージを正常に受信したことを示すＲＥＧ-ＲＳＰ ＡＣＫメッセージをターゲットＢＳへ送信した後に、ステップ４２９へ進む。
【００７１】
他方、ステップ４３７で判定した結果、ターゲットＢＳから非要求ＲＥＧ-ＲＳＰメッセージを受信する必要がない場合、すなわち、上記ＨＯプロセス最適化ＴＬＶに従って、ＲＮＧ-ＲＳＰメッセージ受信過程の他に、これ以上遂行するネットワーク再進入手続が存在せず、ターゲットＢＳ及びＭＳが仮想ＳＤＵ ＳＮを支援し、上記ＨＯプロセス最適化ＴＬＶビットマップのＢｉｔ＃６の値が‘１’に設定されている場合には、ターゲットＢＳは、ＭＳがＳＮ報告ヘッダーを送信することができるアップリンク資源を割り当て、ＭＳは、ターゲットＢＳから割り当てられたアップリンク資源を使用してＳＮ報告ヘッダーをターゲットＢＳへ送信する。この場合には、ＭＳは、上記の＜表３＞乃至＜表５＞を参照して説明したようなフォーマットを有するＡＣＫメッセージを送信せず、ＳＮ報告ヘッダーを送信することにより、ＲＮＧ-ＲＳＰメッセージに対するＡＣＫメッセージの送信を入れ替えることができる。ここで、ＳＮ報告ヘッダーのフォーマットについては、本発明と直接関連がないので、その詳細な説明を省略する。
【００７２】
図４Ａ及び図４Ｂでは、本発明によるIEEE 802.16e通信システムにおけるＨＯプロセス最適化ＴＬＶに基づくネットワーク再進入手続時におけるＭＳの動作過程について説明した。次いで、図５Ａ及び図５Ｂを参照して、本発明によるIEEE 802.16e通信システムにおけるＨＯプロセス最適化ＴＬＶに基づくネットワーク再進入手続時におけるターゲットＢＳの動作過程について説明する。
【００７３】
図５Ａ及び図５Ｂは、本発明によるIEEE 802.16e通信システムにおけるＨＯプロセス最適化ＴＬＶに基づくネットワーク再進入手続時におけるＭＳの動作過程を示すフローチャートである。
【００７４】
図５Ａ及び図５Ｂを参照すると、ステップ５１１で、ターゲットＢＳは、ＭＳからＲＮＧ-ＲＥＱメッセージを受信する。ステップ５１３で、ターゲットＢＳは、ＲＮＧ-ＲＥＱメッセージに応じた、ＨＯプロセス最適化ＴＬＶを含むＲＮＧ-ＲＳＰメッセージを送信する。ステップ５１５で、ターゲットＢＳは、ＭＳからＲＮＧ-ＲＳＰメッセージを正常に受信したことを示すＲＮＧ-ＲＳＰ ＡＣＫメッセージを受信する。上述した＜表３＞乃至＜表５＞を参照して説明した通り、ＲＮＧ-ＲＳＰ ＡＣＫメッセージは、上記ネットワーク再進入確認拡張サブヘッダー、ＣＱＩＣＨ割当要求メッセージヘッダー、または帯域幅要求メッセージヘッダーを用いて実現されることができ、これについては具体的に上述した。
【００７５】
ステップ５１７で、ターゲットＢＳは、非要求ＳＢＣ-ＲＳＰメッセージ及び非要求ＲＥＧ-ＲＳＰメッセージの両方を送信する必要があるか否かを判定する。該判定の結果、非要求ＳＢＣ-ＲＳＰメッセージ及び非要求ＲＥＧ-ＲＳＰメッセージの両方を送信する必要がある場合には、ターゲットＢＳは、ステップ５１９で、非要求ＳＢＣ-ＲＳＰメッセージをＭＳへ送信する。
【００７６】
ステップ５２１で、ターゲットＢＳは、ＭＳから非要求ＳＢＣ-ＲＳＰメッセージを正常に受信したことを示すＳＢＣ-ＲＳＰ ＡＣＫメッセージを受信する。上述した＜表３＞乃至＜表５＞を参照して説明した通り、ＳＢＣ-ＲＳＰ ＡＣＫメッセージは、上記ネットワーク再進入確認拡張サブヘッダー、ＣＱＩＣＨ割当要求メッセージヘッダー、または帯域幅要求メッセージヘッダーを用いて実現されることができ、これについては、具体的に上述した。
【００７７】
ステップ５２３で、ターゲットＢＳは、非要求ＲＥＧ-ＲＳＰメッセージをＭＳへ送信する。ステップ５２５で、ターゲットＢＳは、ＭＳから非要求ＲＥＧ-ＲＳＰメッセージを正常に受信したことを示すＲＥＧ-ＲＳＰ ＡＣＫメッセージを受信する。上述した＜表３＞乃至＜表５＞を参照して説明した通り、ＲＥＧ-ＲＳＰ ＡＣＫメッセージは、上記ネットワーク再進入確認拡張サブヘッダー、ＣＱＩＣＨ割当要求メッセージヘッダー、または帯域幅要求メッセージヘッダーを用いて実現されることができ、これについては、具体的に上述した。ステップ５２７で、ターゲットＢＳは、ＭＳとのネットワーク再進入手続を完了した後に、上記動作過程を終了する。
【００７８】
しかしながら、ステップ５１７で判定した結果、非要求ＳＢＣ-ＲＳＰメッセージ及び非要求ＲＥＧ-ＲＳＰメッセージの両方をＭＳへ送信する必要がない場合には、ターゲットＢＳは、ステップ５２９で、非要求ＳＢＣ-ＲＳＰメッセージだけをＭＳへ送信する必要があるか否かを判定する。該判定の結果、非要求ＳＢＣ-ＲＳＰメッセージだけをＭＳへ送信する必要がある場合には、ターゲットＢＳは、ステップ５３１で、非要求ＳＢＣ-ＲＳＰメッセージをＭＳへ送信する。この後、ステップ５３３で、ターゲットＢＳは、ＭＳから非要求ＳＢＣ-ＲＳＰメッセージを正常に受信したことを示すＳＢＣ-ＲＳＰ ＡＣＫメッセージを受信した後に、ステップ５２７へ進む。
【００７９】
一方、ステップ５２９で判定した結果、非要求ＳＢＣ-ＲＳＰメッセージだけをＭＳへ送信する必要がない場合には、ターゲットＢＳは、ステップ５３５で、非要求ＲＥＧ-ＲＳＰメッセージだけをＭＳへ送信する必要があるか否かを判定する。該判定の結果、非要求ＲＥＧ-ＲＳＰメッセージだけをＭＳへ送信する必要がある場合には、ターゲットＢＳは、ステップ５３７で、非要求ＲＥＧ-ＲＳＰメッセージをＭＳへ送信する。その後、ステップ５３９で、ターゲットＢＳは、ＭＳから非要求ＲＥＧ-ＲＳＰメッセージを正常に受信したことを示すＲＥＧ-ＲＳＰ ＡＣＫメッセージを受信した後に、ステップ５２７へ進む。
【００８０】
他方、ステップ５３５で判定した結果、非要求ＲＥＧ-ＲＳＰメッセージだけをＭＳへ送信する必要がない場合、すなわち、上記ＨＯプロセス最適化ＴＬＶに従って、ＲＮＧ-ＲＳＰメッセージ送信過程の他に、これ以上遂行するネットワーク再進入手続が存在せず、ターゲットＢＳ及びＭＳが仮想ＳＤＵ ＳＮを支援し、上記ＨＯプロセス最適化ＴＬＶビットマップのＢｉｔ＃６の値が‘１’に設定されている場合には、ターゲットＢＳは、ＭＳがＳＮ報告ヘッダーを送信することができるアップリンク資源を割り当てる。その後、ターゲットＢＳは、ＭＳに割り当てられたアップリンリ資源を用いて、ＭＳが送信するＳＮ報告ヘッダーを受信する。この場合には、ターゲットＢＳは、上述した＜表３＞乃至＜表５＞を参照して説明したようなフォーマットを有するＡＣＫメッセージを受信せず、ＳＮ報告ヘッダーを受信することにより、ＲＮＧ-ＲＳＰメッセージに対するＡＣＫメッセージの受信を入れ替えることができる。
【００８１】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００８２】
【図１】一般的なIEEE 802.16e通信システムにおけるネットワーク再進入手続を遂行する過程を示す信号フローチャートである。
【図２】一般的なIEEE 802.16e通信システムにおけるハンドオーバープロセス最適化ＴＬＶに基づくネットワーク再進入手続を遂行する過程を示す信号フローチャートである。
【図３】本発明によるIEEE 802.16e通信システムにおけるＨＯプロセス最適化ＴＬＶに基づくネットワーク再進入手続を遂行する過程を示す信号フローチャートである。
【図４Ａ】本発明によるIEEE 802.16e通信システムにおけるＨＯプロセス最適化ＴＬＶに基づくネットワーク再進入手続時におけるＭＳの動作過程を示すフローチャートである。
【図４Ｂ】本発明によるIEEE 802.16e通信システムにおけるＨＯプロセス最適化ＴＬＶに基づくネットワーク再進入手続時におけるＭＳの動作過程を示すフローチャートである。
【図５Ａ】本発明によるIEEE 802.16e通信システムにおけるＨＯプロセス最適化ＴＬＶに基づくネットワーク再進入手続時におけるターゲットＢＳの動作過程を示すフローチャートである。
【図５Ｂ】本発明によるIEEE 802.16e通信システムにおけるＨＯプロセス最適化ＴＬＶに基づくネットワーク再進入手続時におけるターゲットＢＳの動作過程を示すフローチャートである。
【図１】
2009500940.tif 000008
【図２】
2009500940.tif 000009
【図３】
2009500940.tif 000010
【図４Ａ】
2009500940.tif 000011
【図４Ｂ】
2009500940.tif 000012
【図５Ａ】
2009500940.tif 000013
【図５Ｂ】
2009500940.tif 000014
【国際調査報告】
2009500940.tif 000015
2009500940.tif 000016